(57)【要約】【課題】組み立ての作業性が良くて、量産性が高く、かつ、部品点数が少なくて、製造コストが低くて、剛性が高いピンタイプ保持器を提供すること。【解決手段】第１リング１０に、周方向に互いに間隔をおいて位置する複数のねじ穴２０を形成すると共に、第２リング１１に、周方向に互いに間隔をおいて位置する複数の貫通穴２１を形成する。また、ピン１３の外周に、ねじ部４０と、圧入部４２とを形成する。第２リング１１の貫通穴２１の最小の内径を、ピン１３において圧入部４２よりもねじ部４０側に位置する部分の最大の外径よりも大きく設定する。ピン１３のねじ部４０を、第１リング１０のねじ穴２０に螺合させる一方、ピン１３の圧入部４２を、第２リング１１の貫通穴２１に締り嵌めする。【選択図】図２
2009008235.tif 000002
【特許請求の範囲】
【請求項１】
周方向に互いに間隔をおいて位置する複数のねじ穴を有する第１リングと、
上記第１リングに対して上記第１リングの軸方向に間隔をおいて位置すると共に、周方向に互いに間隔をおいて位置する複数の貫通穴を有する第２リングと、
ころの貫通穴に挿通されると共に、圧入部とねじ部とを外周面に有する棒状のピンと
を備え、
上記第２リングの上記貫通穴の最小の内径は、上記ピンにおいて上記圧入部よりも上記ねじ部側に位置する部分の最大の外径よりも大きくなっており、
上記ピンの上記ねじ部は、上記第１リングの上記ねじ穴に螺合している一方、上記ピンの上記圧入部は、上記第２リングの上記貫通穴に締り嵌めされており、
上記ピンの上記圧入部が、上記第２リングの上記貫通穴から抜けることを防止する抜け防止部を備えていることを特徴とするピンタイプ保持器。
【請求項２】
ねじ穴を有する第１リングと、貫通穴を有する第２リングと、貫通穴を有するころと、ねじ部および圧入部を外周面に有すると共に、上記圧入部の上記ねじ部側とは反対側に回転力付与部を有し、上記圧入部の外径が、上記第２リングの上記貫通穴の最小の内径よりも大きくなっている一方、上記圧入部よりも上記ねじ部側に位置する部分の最大の外径が、上記第２リングの上記貫通穴の最小の内径よりも小さくなっている棒状のピンとを用意し、
上記ピンの上記ねじ部側の端部を、上記第２リングの上記貫通穴を挿通させた後、上記ころの上記貫通穴を挿通させ、続いて、上記ピンの上記ねじ部側の端を、上記第１リングのねじ穴の開口に挿入し、
その後、上記第１リングに対する上記第２リングの相対位置を、所定の相対位置に維持した状態で、上記回転力付与部に、回転力を付与して、上記ピンを回転させることによって、上記ねじ部を上記ねじ穴に螺合させると共に、上記圧入部を上記貫通穴に圧入することを特徴とするピンタイプ保持器およびころの組立方法。
【発明の詳細な説明】
【技術分野】
【０００１】
本発明は、ピンタイプ保持器に関し、特に、風力発電機や鉄鋼設備に使用されるころ軸受に好適なピンタイプ保持器に関する。
【０００２】
また、本発明は、ピンタイプ保持器およびころの組立方法に関する。
【背景技術】
【０００３】
従来、ピンタイプ保持器としては、実開昭５６−１１１３１８号公報に記載されているものがある。
【０００４】
このピンタイプ保持器は、第１リング、第２リング、および、第１リングと第２リングとを連結する複数の棒状のピンを備え、上記複数のピンは、第１リングの周方向に互いに間隔をおいて配置されている。
【０００５】
上記ピンの一端部は、第１リングに固定される一方、上記ピンの他端部は、第２リングに形成された円錐状の貫通穴に挿入されている。上記円錐状の貫通穴の内周面とピンの他端部の外周面との間に、円錐面状の外周面を有する環状のブッシュを圧入して、その後、ピンの他端部の先端と第２リングとを溶接して、ピンを第２リングに固定している。
【０００６】
上記従来のピンタイプ保持器は、上記円錐状の貫通穴の内周面と、ピンの他端部の外周面との間に、ブッシュを圧入しているから、衝撃や負荷が、溶接部に集中せず、溶接部の破損を防ぐことができるという利点を有している一方、ブッシュを圧入する必要があるから、ピンタイプ保持器の組み立ての作業性が悪くて、量産性が低くなる。また、ブッシュが必要になるから、部品点数が多くなって、製造コストが高くなる。
【０００７】
一方、ピンタイプ保持器の組み立ての作業性を向上させると共に、ピンタイプ保持器の部品点数を低減させるために、ブッシュを省略して、ピンの他端部の先端と第２リングとを直接溶接するようにすると、ピンの他端部周辺の剛性が低くなると共に、衝撃や負荷が、溶接部に集中して、溶接部の破損が頻繁に発生する。
【特許文献１】実開昭５６−１１１３１８号公報
【発明の開示】
【発明が解決しようとする課題】
【０００８】
そこで、本発明の課題は、組み立ての作業性が良くて、量産性が高く、かつ、部品点数が少なくて、製造コストが低くて、剛性が高いピンタイプ保持器を提供することにある。
【０００９】
また、本発明の課題は、工数が低くて作業性および量産性に優れると共に、部品点数が少なくて剛性が高いピンタイプ保持器を組み立てできるピンタイプ保持器およびころの組立方法を提供することにある。
【課題を解決するための手段】
【００１０】
この課題を解決するために、この発明のピンタイプ保持器は、
周方向に互いに間隔をおいて位置する複数のねじ穴を有する第１リングと、
上記第１リングに対して上記第１リングの軸方向に間隔をおいて位置すると共に、周方向に互いに間隔をおいて位置する複数の貫通穴を有する第２リングと、
ころの貫通穴に挿通されると共に、圧入部とねじ部とを外周面に有する棒状のピンと
を備え、
上記第２リングの上記貫通穴の最小の内径は、上記ピンにおいて上記圧入部よりも上記ねじ部側に位置する部分の最大の外径よりも大きくなっており、
上記ピンの上記ねじ部は、上記第１リングの上記ねじ穴に螺合している一方、上記ピンの上記圧入部は、上記第２リングの上記貫通穴に締り嵌めされており、
上記ピンの上記圧入部が、上記第２リングの上記貫通穴から抜けることを防止する抜け防止部を備えていることを特徴としている。
【００１１】
本発明によれば、上記ピンの上記圧入部が、上記第２リングの上記貫通穴に締り嵌めされているから、衝撃や負荷を、圧入部の外周面の全面で受けることができて、ピンと、第２リングとの接合部の剛性を大きくすることができる。したがって、ピンタイプ保持器のピンに作用する荷重に対する剛性を大きくすることができる。
【００１２】
また、本発明によれば、上記ピンの上記圧入部が、上記第２リングの上記貫通穴に締り嵌めされる構成であって、ピンの外周面と第２リングの貫通穴との間にブッシュを圧入する構成でないから、部品点数を削減できて、製造コストを低減できる。
【００１３】
また、本発明によれば、例えば、工具等を用いて、ピンを回転させるだけで、上記ねじ部を上記ねじ穴に螺合できると共に、上記圧入部を上記貫通穴に圧入することができる。したがって、ブッシュがピンの外周面と第２リングの貫通穴との間に圧入されている構成と比較して、作業性を格段に向上させることができると共に、生産のサイクルタイムを短くできて、量産性を向上させることができる。
【００１４】
また、この発明のピンタイプ保持器およびころの組立方法は、
ねじ穴を有する第１リングと、貫通穴を有する第２リングと、貫通穴を有するころと、ねじ部および圧入部を外周面に有すると共に、上記圧入部の上記ねじ部側とは反対側に回転力付与部を有し、上記圧入部の外径が、上記第２リングの上記貫通穴の最小の内径よりも大きくなっている一方、上記圧入部よりも上記ねじ部側に位置する部分の最大の外径が、上記第２リングの上記貫通穴の最小の内径よりも小さくなっている棒状のピンとを用意し、
上記ピンの上記ねじ部側の端部を、上記第２リングの上記貫通穴を挿通させた後、上記ころの上記貫通穴を挿通させ、続いて、上記ピンの上記ねじ部側の端を、上記第１リングのねじ穴の開口に挿入し、
その後、上記第１リングに対する上記第２リングの相対位置を、所定の相対位置に維持した状態で、上記回転力付与部に、回転力を付与して、上記ピンを回転させることによって、上記ねじ部を上記ねじ穴に螺合させると共に、上記圧入部を上記貫通穴に圧入することを特徴としている。
【００１５】
本発明によれば、回転力付与部に、回転力を付与して、ピンを回転させるだけで、上記ねじ部を上記ねじ穴に螺合できると共に、上記圧入部を上記貫通穴に圧入することができる。したがって、ブッシュをピンの外周面と第２リングの貫通穴との間に圧入する方法と比較して、作業性を格段に向上させることができると共に、生産のサイクルタイムを短くでき、量産性を向上させることができる。
【００１６】
また、本発明によれば、用意したピンが回転力付与部を有しているから、ピンに大きな回転力を付与することができ、上記ねじ部が上記ねじ穴に螺合することに起因して、大きなピンの軸方向の推進力（ピンが軸方向に移動しようとする力）を生成することができ、この大きな推進力で、圧入部を上記貫通穴に圧入することができる。したがって、第２リングとピンとの締め代を大きくできて、第２リングにピンを強固に固定できるから、剛性が高いピンタイプ保持器を製造することができる。
【発明の効果】
【００１７】
本発明のピンタイプ保持器によれば、組み立ての作業性を向上でき、量産性を高くできる。また、部品点数を削減できて、製造コストが低減できる。また、高い剛性を確保できる。
【００１８】
また、本発明のピンタイプ保持器およびころの組立方法によれば、工数を小さくできて、作業性および量産性を向上させることができる。また、ピンタイプ保持器の部品点数を小さくできて、ピンタイプ保持器の製造コストを低減できると共に、高い剛性を有するピンタイプ保持器を組み立てることができる。
【発明を実施するための最良の形態】
【００１９】
以下、本発明を図示の形態により詳細に説明する。
【００２０】
図１は、本発明の一実施形態のピンタイプ保持器を有する円錐ころ軸受の全体像を示す斜視図である。なお、図１においては、構成を明確に示すため、円錐ころ軸受の一部を除去して、円錐ころ軸受の軸方向の断面を示すようにしている。
【００２１】
この円錐ころ軸受は、外輪１、内輪２、転動体としての複数の円錐ころ３、および、本発明の一実施形態のピンタイプ保持器５（以下、単に保持器という）を備える。
【００２２】
上記外輪１は、内周円錐面を有する一方、内輪２は、外周円錐面を有している。また、上記複数の円錐ころ３は、外輪１の内周円錐面と、内輪２の外周円錐面との間に、保持器５によって保持された状態で、周方向に互いに間隔をおいて配置されている。
【００２３】
上記保持器５は、第１リング１０、第２リング１１および複数の棒状のピン１３を有し、複数のピン１３は、第１リング１０の周方向に互いに間隔をおいて配置されている。上記第１リング１０は、第２リング１１に対して軸方向に間隔をおいて位置している。第１リング１０の中心軸は、略第２リング１１の中心軸の延長線上に位置している。上記第１リング１０の内周面の内径は、第２リング１１の内周面の内径よりも大きくなっている。
【００２４】
上記各円錐ころ３は、略円錐ころ３の中心軸上を延在する貫通穴１２を有している。円錐ころ３の貫通穴１２には、ピン１３が挿通され、ピン１３の一端部は、第１リング１０に固定される一方、ピン１３の他端部は、第２リング１１に固定されている。このようにして、保持器５と、複数の円錐ころ３とが一体化されている。周方向に隣接する二つのピン１３の周方向の距離は、周方向に隣接する円錐ころ３が接触しない距離に設定されている。
【００２５】
図２は、上記実施形態の保持器５の構造を詳細に示す保持器の一部の斜視図である。
【００２６】
図２に示すように、第１リング１０は、複数のねじ穴２０を有し、その複数のねじ穴２０は、第１リング１０の周方向に互いに間隔をおいて位置していている。一方、第２リング１１は、複数の貫通穴２１を有し、その複数の貫通穴２１は、第２リング１１の周方向に互いに間隔をおいて位置している。各貫通穴２１は、第１円筒面部３０と、第２円筒面部３１とを有している。第１円筒面部３０は、貫通穴２１の第１リング１０側に位置し、第２円筒面部３１は、第１円筒面部３０の第１リング１０側とは反対側の端につながっている。第１円筒面部３０の内径は、第２円筒面部３１の内径よりも小さくなっている。第１円筒面部３０は、第２リング１１の第１リング１０側の端面に開口する一方、第２円筒面部３１は、第２リング１１の第１リング１０側とは反対側の端面に開口している。
【００２７】
上記ピン１３は、ねじ部４０、あて部４１、圧入部４２および回転力付与部４３を有している。
【００２８】
上記ねじ部４０は、ピン１３の一端部の外周面に形成され、第１リング１０のねじ穴２０に適合する形状を有している。上記あて部４１は、ねじ部４０につながっている。上記あて部４１は、段部であり、あて部４１の外径は、ねじ部４０の外径よりも大きくなっている。上記あて部４１は、第１リング１０の第２リング１１側の端面に当接している。あて部４１と、第１リング１０の第２リング１１側の端面との間に生じる圧力は、所定以上の圧力になっている。ねじ部４０は、ねじ穴２０に螺合している。
【００２９】
上記圧入部４２は、あて部４１に、略円柱状の部分を介してつながっている。上記圧入部４２は、あて部４１のねじ部４０側とは反対側に位置している。上記ピン１３が、第２リング１１に接触していない状態（ピン１３を、第２リング１１に固定していない状態）で、圧入部４２の外径は、第１円筒面部３０の内径よりも大きくなっている。上記圧入部４２は、第１円筒面部３０に圧入により締り嵌めされている。上記回転力付与部４３は、ピン１３の他端部に位置し、圧入部４２のあて部４１側とは反対側に位置している。上記回転力付与部４３は、断面正六角形の円板（正六角柱）からなっている。上記正六角形の外接円の外径は、ピン１３の外周面の外接円の外径のうちで最大になっている。ピン１３において圧入部４２よりもねじ部４０側に位置する部分の最大の外径は、第２リング１１の第１円筒面部３０の内径よりも小さくなっている。
【００３０】
上記回転力付与部４３には、スパナが適合するようになっている。スパナによって回転力付与部４３に回転力を付与して、ピン１３を回転させることにより、ねじ部４０を、ねじ穴２０に螺合させるようになっている。
【００３１】
図示はしないが、この保持器５は、抜け防止部としての溶接部を備えている。溶接部は、第２円筒面部３１の内周面と、ピン１３の圧入部４２よりも他端部側の部分５０の外周面との間に配置されている。溶接部は、圧入部４２が第１円筒面部３０から抜けることを防止する役割を果たすと共に、ピン１３と第２リング１１との接合部の剛性を大きくする役割を果たしている。
【００３２】
図１には、保持器５と、円錐ころ３とが組み立てられている状態が示されている。以下、主に図２を用いて、本発明の一実施形態の保持器およびころの組立方法を説明する。
【００３３】
先ず、貫通穴を有する円錐ころと、図２に図示されている部材とを用意する。図２を用いて具体的に説明すると、貫通穴を有する円錐ころと、ねじ穴２０を有する第１リング１０と、貫通穴２１を有する第２リング１１と、棒状のピン１３とを用意する。図２に示すように、上記ピン１３は、ねじ部４０および圧入部４２を外周面に有すると共に、圧入部４２のねじ部４０側とは反対側に回転力付与部４３を有している。上記圧入部４２を貫通穴２１に挿通していない状態で、第２リング１１の貫通穴２１の最小の内径（第１円筒面部３０の内径）は、圧入部４２の外径よりも小さくなっている一方、第１円筒面部３０の内径は、ピン１３において圧入部４２よりもねじ部４０側に位置する部分の最大の外径よりも大きくなっている。
【００３４】
次に、治具等により第１リング１０と第２リング１１とを所定の位置に固定することにより、第１リング１０に対する第２リング１１の相対位置を所定の相対位置にする。その後、第１リング１０に対する第２リング１１の相対位置を上記所定の相対位置に維持した状態で、ピン１３のねじ部４０側の端部を、第２リング１１の貫通穴２１を挿通させた後、円錐ころ３の貫通穴１２（図１参照）を挿通させ、続いて、ピン１３のねじ部４０側の端を、第１リング１０のねじ穴２０の開口に挿入する。
【００３５】
その後、上記正六角柱の形状の回転力付与部４３に、スパナ（図示せず）を係合させて、スパナにトルクを付与することにより、回転力付与部４３を回転させて、ピン１３を回転させる。このようにして、上記ねじ部４０をねじ穴２０に螺合させると共に、ピン１３の軸力（推進力）によって圧入部４２を貫通穴２１に圧入する。
【００３６】
最後に、第２リング１１の貫通穴２１の第２円筒面部３１の内周面と、ピン１３において圧入部４２よりも他端部側に位置する部分５０の外周面との間に溶融している金属材料を注入して、冷却することにより、抜け防止部の一例としての溶接部（図示せず）を形成し、保持器５と円錐ころ３との組み付けを完了する。
【００３７】
上記実施形態の保持器５によれば、上記ピン１３の圧入部４２が、第２リング１１の貫通穴２１に締り嵌めされているから、衝撃や負荷を、圧入部４２の外周面の全面で受けることができて、保持器５の剛性を大きくすることができる。
【００３８】
また、上記実施形態の保持器５によれば、上記ピン１３の圧入部４２が、第２リング１１の貫通穴２１に締り嵌めされる構成であって、ピンの外周面と第２リングの貫通穴との間にブッシュを圧入する構成でないから、部品点数を削減できて、製造コストを低減できる。
【００３９】
また、上記実施形態の保持器５によれば、例えば、工具等を用いて、ピン１３を回転させるだけで、上記ねじ部４０をねじ穴２０に螺合できると共に、圧入部４２を貫通穴２１に圧入することができる。したがって、ブッシュがピンの外周面と第２リングの貫通穴との間に圧入されている構成と比較して、作業性を格段に向上させることができると共に、生産のサイクルタイムを短くでき、量産性を向上させることができる。
【００４０】
また、上記実施形態の保持器５によれば、ピン１３があて部４１を有しているから、ピンに、ぬすみや切欠きを形成することによってピンの軸方向の移動を止める場合と比較して、回転力付与部４２に大きな回転力を付与しても、ピン１３が破損することがないと共に、ねじ部４０をねじ穴２０に大きなトルクで締め付けることができて、ピン１３と第１リング１０との係合部の剛性を大きくすることができる。
【００４１】
また、上記実施形態の保持器およびころの組立方法によれば、回転力付与部４３に、回転力を付与して、ピン１３を回転させるだけで、ねじ部４０をねじ穴２０に螺合できると共に、圧入部４２を貫通穴２１に圧入することができる。したがって、ブッシュをピンの外周面と第２リングの貫通穴との間に圧入する方法と比較して、作業性を格段に向上させることができると共に、生産のサイクルタイムを短くでき、量産性を向上させることができる。
【００４２】
また、上記実施形態の保持器およびころの組立方法によれば、用意したピン１３が回転力付与部４３を有しているから、ピン１３に大きな回転力を付与することができ、ねじ部４０がねじ穴２０に螺合することに起因して、大きなピン１３の軸方向の推進力（ピン１３が軸方向に移動しようとする力）を生成することができ、この大きな推進力で、圧入部４２を貫通穴２１に圧入することができる。したがって、第２リング１１にピン１３を強固に固定できるから、剛性に優れる保持器５を製造することができる。
【００４３】
尚、上記実施形態の保持器５では、回転力付与部４３が、ピン１３の他端部に形成された断面の六角形状の円板であったが、この発明の保持器では、回転力付与部は、ピンの他端部の端面に形成された工具差込穴（例えば、断面正六角形状の六角穴（六角レンチ差込穴）等）であっても良い。
【００４４】
また、上記実施形態の保持器５では、ピン１３が回転力付与部４３を有していたが、この発明の保持器では、ピンは回転力保持部を有していなくても良い。というのは、回転力付与部は、ねじ部をねじ穴に螺合させるために、すなわち、ピンを回転させるために、ピンに大きなトルクを付与するために必要とされるものであるから、回転力付与部は、最終的な製品に必要不可欠な構成要件ではないのである。したがって、圧入部を、第１円筒面部に圧入した後に、切断しても良いのである。尚、回転力付与部を切断することによって、保持器の軸方向の寸法を小さくすることができることは言うまでもない。
【００４５】
また、上記実施形態の保持器５では、抜け防止部が溶接部であったが、この発明の保持器では、抜け防止部は、かしめによって変形したピンの圧入部よりも他端側の一部分であっても良い、また、抜け防止部は、ピンの圧入部よりも他端側に打ち込まれた棒部材（例えば小さなピン）であっても良い。
【００４６】
また、上記実施形態の保持器５では、ピン１３があて部４１を有していたが、この発明では、ピンにあて部を形成するかわりに、ピンにぬすみや切欠きを形成しても良い。
【００４７】
また、上記実施形態の保持器５では、第２リング１１の貫通穴２１が、第１円筒面部３０と、この第１円筒面部３０よりも内径が大きい第２円筒面部３１とを有していたが、第２円筒面部は存在しなくても良く、貫通穴は、その内径が全て同一であっても良い。
【００４８】
また、図２に示すように、上記実施形態の保持器５では、圧入部４２と、ねじ部４０とを、略円柱状の部分で連結したが、圧入部と、ねじ部との間の部分の形状は、円柱形状に限らない。圧入部と、ねじ部との間に位置する部分は、圧入部の外周面の延長面が画定する領域の内部に位置していて、その部分が第２リングの貫通穴を通過する際に第２リングの貫通穴に接触しない形状であれば、如何なる形状であっても良い。尚、ねじ部も、圧入部の外周面の延長面が画定する領域の内部に位置していることは言うまでもない。というのは、ピンにおいて圧入部よりもねじ部側に位置する部分が、圧入部の外周面の延長面が画定する領域の内部に位置していなければ、ピンにおいて圧入部よりもねじ部側に位置する部分が、第１円筒面部に非接触に第１円筒面部を通過することができないからである。
【００４９】
また、上記実施形態の保持器５は、円錐ころ３を保持していたが、この発明の保持器は、円筒ころや球面ころを保持するのに使用されても良い。
【００５０】
また、上記実施形態の保持器およびころの組立方法では、回転力付与部４３の切断を行わなかったが、この発明の保持器およびころの組立方法では、回転力付与部の切断を行っても良い。この場合、回転力付与部の切断は、ピンの圧入部を第２リングの貫通穴に圧入した後で、かつ、溶接を行う前に行うことができる。
【図面の簡単な説明】
【００５１】
【図１】本発明の一実施形態のピンタイプ保持器を有する円錐ころ軸受の全体像を示す斜視図である。
【図２】上記実施形態の保持器の構造を詳細に示す保持器の一部の斜視図である。
【符号の説明】
【００５２】
１  外輪
２  内輪
３  円錐ころ
５  保持器
１０  第１リング
１１  第２リング
１２  円錐ころの貫通穴
１３  ピン
２０  第１リングのねじ穴
２１  第２リングの貫通穴
４０  ねじ部
４１  あて部
４２  圧入部
４３  回転力付与部
【図１】
2009008235.tif 000003
【図２】
2009008235.tif 000004